(57)【要約】  【課題】  スリングキャリー式のベビーキャリアの利点を生かしつつ、使用中の姿勢変化により生じ易いキャリア本体の振れを合理的に防止し、その安全性を高める。  【解決手段】  乳幼児を包むキャリア本体１の一端側から肩帯２を延出し、該肩帯２の先端とキャリア本体１他端側との間を係止体３により長さ調節可能に連結し、前記キャリア本体１に腰ベルト４ａ，４ｂを取付け、この腰ベルト４ａ，４ｂを使用者の腰周りに巻回可能に構成した。  【選択図】  図１
0003117154.tif 000002
【実用新案登録請求の範囲】
【請求項１】
乳幼児を包むキャリア本体を有し、このキャリア本体の一端側から肩帯を延出し、該肩帯の先端とキャリア本体他端側との間を係止体により長さ調節可能に連結し、更に、該キャリア本体に該キャリア本体を使用者の腹部に密着保持する腰ベルトを取り付けたことを特徴とするベビーキャリア。
【請求項２】
腰ベルトの取付部分をキャリア本体の略中央とした請求項１記載のベビーキャリア。
【請求項３】
腰ベルトの取付部分をキャリア本体の一端側と他端側とに離して設けた請求項１記載のベビーキャリア
【請求項４】
キャリア本体の側縁部に沿ってクッション材を沿設して成る請求項１乃至３の何れか一項記載のベビーキャリア。
【考案の詳細な説明】
【技術分野】
【０００１】
本考案は、乳幼児を抱っこする際に用いるベビーキャリアに関し、さらに詳しくは、幅広且つ無端状の帯布等から構成され、乳幼児を下から包むようにサポートして、背中から肩にかけて吊るすように装着する所謂スリングキャリー式のベビーキャリアに関する。
【背景技術】
【０００２】
従来、乳幼児を抱っこする際に使用するベビーキャリアの中には、幅広状の帯布を無端状に繋ぎ、背中から肩にかけて吊るすようにして装着し、子供を包むようにして親の正面側に抱っこして使用する形態のものがある。これらはスリングキャリーとよばれ、形態が比較的自由に変形して使いやすく、且つ子供も親も疲れない等の理由から利用者が徐々に増加している。
上記したスリングキャリーは寝た状態の乳幼児を下から包んで抱っこする姿勢や、前屈み、さらに子供を座らせた姿勢で親と正対させる姿勢など色々な姿勢に対応することができる。また、姿勢の変化に伴ってある程度帯布が変形するので、子供が楽であり、且つ、子供の体重は親の背中から肩にかけて広い面積に加わるため、肩に加わる負担が少なく疲れない等の利点がある。
【０００３】
ところで、上記したようなスリングキャリー式のベビーキャリアは、幅広状の帯布から成るキャリア本体内にて乳幼児を包み、親が背中から肩にかけて吊るす状態で子供を寝かせる場合、若しくはミルク等を与える状態。またはキャリア本体に乳幼児を座らせた状態で上体を起こし、親と対面せせる状態。さらに、キャリア本体内で寝かせた乳幼児をベビーベッドなどに移して寝かせる場合など、ベビーキャリアを装着して抱っこした姿勢から色々な姿勢へと移行する使用が多い。
このような姿勢の移行時において、スリングキャリー式のベビーキャリアは、キャリア本体の振れに伴って、子供をサポートするキャリア本体部分と親の腹部との間が開き易くなるため、キャリア本体にてサポートする乳幼児が不安定になる瞬間がある。このような場合、親の手で確りとサポートする必要を生じるが、あやまって子供がキャリア本体からずり落ちる可能性もある。
また、従来のスリングキャリー式のベビーキャリアは、キャリア本体に子供を座らせ、上体を起こして親と正対する姿勢を取ると、乳幼児の足はキャリア本体の一側から下に飛び出て親の腰にぴたりと当たる姿勢を取ることになるが、この状態では子供の足がキャリア本体の一側縁部が子供の足に比較的強く圧迫されるため、同じ姿勢を続けると場合によっては子供の足に負担をかけることや、子供に不快感を与えることにもなる。
【特許文献１】実開平７−１４９２１号公報
【考案の開示】
【考案が解決しようとする課題】
【０００４】
本考案は上記したような従来事情に鑑みなされたものであり、その目的とする処は、従来のスリングキャリー式のベビーキャリアの利点を生かしつつ、使用中の姿勢変化により生じ易いキャリア本体の振れを合理的に防止し、その安全性を高めることにある。
【課題を解決するための手段】
【０００５】
本考案は、上記目的を達成するために下記の技術的手段を採用した。
第１考案のベビーキャリアは、乳幼児を包むキャリア本体を有し、このキャリア本体の一端から肩帯を延出し、該肩帯の先端とキャリア本体他端との間を係止体により長さ調節可能に連結し、上記キャリア本体に腰ベルトを取付け、この腰ベルトを使用者の腰周りに巻回して長さ調節可能且つ着脱自在に構成したものである。
上記したキャリア本体は乳幼児を包むに十分な幅を有し、その一端から延出した肩帯は係止体を介してキャリア本体の他端と連結され、係止体により長さが調節される。係止体は例えば２個のリングから成るものであっても、合成樹脂等からなる係止構造を成すもの等であってもよい。
また、キャリア本体に取り付ける腰ベルトは使用者の腰周りに巻回できるものであれば、既存のどのような構造のベルトを用いてもよい。係止具やフック等により着脱可能であっても、若しくは帯紐のように縛り付けるものであってもよい。
【０００６】
第２考案は、キャリア本体の揺れ動きを効果的に防止する上で、腰ベルトの取付部分をキャリア本体の略中央としたものである。
第３考案は、腰ベルトの取付部分をキャリア本体の一端側と他端側とに離して設けたものである。腰ベルトの一端と他端との間は子供の足とベルトとの位置関係を考慮したものであり、使用中に子供の足がベルトにより圧迫を受けない範囲でベルト取付部分の間隔を設定することを特徴とする。
第４考案は、子供への圧迫回避を考慮して、キャリア本体の一側縁部と他側縁部に沿ってクッション材を沿設したものである。クッション材はキャリア本体の縁部に沿って適度な弾性を有するクッション材を内装する方法やクッション材自体をキャリア本体の縁に沿って付設する方法が例示できる。
【考案の効果】
【０００７】
本考案のベビーキャリアによれば、下記のような優れた作用、効果が期待できる。
第１考案のベビーキャリアは、乳幼児を包むキャリア本体を備え、このキャリア本体に腰ベルトを取付け、同腰ベルトを使用者の腰周りに巻回して長さ調節可能且つ着脱自在に構成したものである。これにより、使用中における姿勢の変化に伴ってキャリア本体が大きく揺れ動いた場合でも、使用者の腰に巻かれる腰ベルトにより乳幼児を包むキャリア本体を確実に保持し、キャリア本体と使用者腹部との間が大きく開いてしまうことを防止することができる。この結果、キャリア本体内にて保持される乳幼児の姿勢が大きくずれたり、またはキャリア本体と使用者の間からずれ落ちたりする問題を解決し、スリングキャリー式ベビーキャリアの利点を生かしつつ使用中における安全性を確保することができる
【０００８】
第２考案のベビーキャリアは、腰ベルトの取付部分をキャリア本体の略中央としたものであるから、姿勢の変化により子供を包むキャリア本体が大きく振れたとしても、上記腰ベルトによりそのキャリア本体を使用者の腹部の中央にて確実に保持することが出来、より安全性に優れたものとなる。
【０００９】
第３考案のベビーキャリアは、腰ベルトの取付部分をキャリア本体の一端側と他端側とに離して設けたものである。よって、上記したような腰ベルトによるキャリア本体の保持効果を奏すると共に、キャリア本体に子供を座らせて上半身を立てて親と対面する姿勢を取った際において、子供の足は適宜な間隔をおいて離した両腰ベルトの間から垂れ下がる形となり、子供の足が腰ベルトに当たって邪魔になる不具合を解消することができる。
【００１０】
第４考案のベビーキャリアは、キャリア本体の一側縁部と他側縁部に沿ってクッション材を沿設したものである。これにより、乳幼児の触れるキャリア本体の両側縁部の触感がソフトになり、仮に子供の手足に圧接する場合が生じてもこれを柔げ、無理な姿勢を取った際にキャリア本体の縁部が子供に対して与える圧迫感を軽減することができる。
また、使用者にとっても装着感が向上し、使用時の負担も軽減される利点がある。
【考案を実施するための最良の形態】
【００１１】
以下、本考案のベビーキャリアを実施するための最良の形態を図1乃至図５に基づいて説明する。
図１図は本考案を実施したベビーキャリアＡであり、乳幼児を包むキャリア本体１の一端から幅広状の肩帯２を延出し、この肩帯２の先端とキャリア本体１の他端部に取り付けた２個のリングからなる係止具３に通して締め付け、長さ調節可能に接続してある。この状態において、ベビーキャリアＡは幅広で且つ無端状の形態、即ち、スリングキャリーの形態となる。
上記キャリア本体１は乳幼児を包むに十分な幅と長さを有し、略楕円形に形成され、その中央部から二枚折りになるように縫製されている。キャリア本体１は丈夫な合成繊維布や綿布等を縫製してなり、その内面側には肌触りのよいメッシュ生地を配して使用感を高めている。また、キャリア本体１の一側縁１ａと他側縁１ｂとに沿ってはスポンジ等のクッション材を内装して縫着してある。これにより、キャリア本体１の両側縁１ａ，１ｂは膨らみを持ち、乳幼児や使用者に圧接した際における圧迫感が緩和され、同時にキャリア本体１縁部の補強がなされる。乳幼児は、上記したキャリア本体１の中に寝た状態、また、上半身を起こして座った状態でサポートされることになる。
【００１２】
上記したキャリア本体１の一端部から延出する肩帯２は、中央部の幅が最も広く、使用者の背中から肩にかけて広く接触するように十分な幅を確保してある。
また、肩帯２の一側縁２ａと他側縁２ｂとに沿ってはキャリア本体１の両側縁１ａ，１ｂと同様に、スポンジ等のクッション材を内装して縫着してある。これにより、使用者の肩に加わる負担や圧迫感を低減し、さらに肩帯２両縁部を補強することもできる。
上記したように構成した肩帯２の先端はキャリア本体１の他端部に取り付けた係止体３の２個のリングに挿通して折り返し、使用者に合った適宜な長さにて締め付ける。上記した係止体３は十分な強度を有する２個のリングを組み合わせて成るものが一般的であるが、これに用いる係止体は肩帯の長さを調節できるものであれば、既存のどのようなものを用いてもよい。
また、本実施例においては、肩帯２の先端部２ｃの縁に沿って適度な弾性と保形性を有する合成樹脂板から成るストッパ２ｄを内装し、使用中に上記係止体３のリングから肩帯２先端部２ｃが抜け出るのを防止している。尚、上記したストッパ２ｄの材質や形状などは適宜に変更してもよい。
【００１３】
キャリア本体１の下面側の中央部には腰ベルト４ａ，４ｂの基端部が止着してある。腰ベルト４ａ，４ｂは使用者の腰周りに巻回してキャリア本体１を使用者の腹部前にて保持するためのものであり、各々の先端部には着脱可能な掛止具５ａ，５ｂを取り付けてある。腰ベルトは強度を有する帯状布から成り、その基端部をキャリア本体１の下面側の中央部に若干の間隔を置いて縫着してある。両腰ベルト４ａ，４ｂの先端側に取り付ける掛止具５ａ，５ｂはバックのベルトを着脱する際に用いる掛止具と同様なものであるが、強度的に十分なものを用いている。また、掛止具５ａ，５ｂには両ベルトの先端部を挿通して折り返し、移動可能に固定してある。これにより、腰ベルト４ａ，４ｂは使用者の腰周りに適度な締め付けを持って巻回装着され、また、掛止具５ａ，５ｂの掛止を外すことにより、簡単に開放することができる。
尚、上記した腰ベルト４ａ，４ｂは２本のベルトと掛止具５ａ，５ｂとにより構成したが、同腰ベルトは使用者の腰周りに巻回して適度に締め付けることができるものであればよい。例えば、腰ベルトは単なる帯紐から構成してもよく、これを使用者の背後で縛って締め付けてもよい。
【００１４】
図２及び図３は、上記したように構成したベビーキャリアＡを使用者が装着して乳幼児を抱っこした状態を示している。  
使用者は無端状のベビーキャリアＡを頭から被り、肩帯２を一方の肩（図面では右肩）に掛ける。そして、腰ベルト４ａ，４ｂを腰周りに巻回し、背後にて掛止具５ａ，５ｂを接続する（図３）。この状態にて肩帯２は使用者の肩から背中にかけて掛け回され、キャリア本体１が使用者の正面にて保持された状態となる。このようにベビーキャリアＡを装着した後、使用者は乳幼児をキャリア本体１内に抱えて移動し、その中に寝かせたたり、また、図示するように上半身を起こした状態で座らせ、子供と正対する姿勢でサポートする（図２）。
上記したようにベビーキャリアＡを使用して乳幼児を抱っこした場合、腰ベルト４ａ，４ｂにより、キャリア本体１を使用者の腹部前において確実に保持することができる。よって、姿勢の変化により肩から吊持されるキャリア本体１が子供と共に揺れ動いたとしても、使用者とキャリア本体１の間が開いてしまうことがない。また、キャリア本体１に包まれる乳幼児を安定してサポートすることができるので、使用者が大きく動いた場合でも、乳幼児がキャリア本体１内にて大きく姿勢を崩してしまったり、キャリア本体１と使用者の腹部との間から滑り落ちたりする不具合を回避することができる。
また、使用者が前かがみとなって乳幼児をベッド上に移す場合なども腰ベルト４ａ４ｂの保持力によりキャリア本体１が安定しているので乳幼児の移動を安全に行なうことができる。
【００１５】
図４乃至図６は、本考案第２実施例のベビーキャリアＡ２を示している。本実施例のベビーキャリアＡ２は、キャリア本体１、肩帯２係止体３を上述したベビーキャリアＡと同様に構成してある。尚、図４はキャリア本体１を完全に二つ折りにした状態を示している。この図にて示すように、ベビーキャリアＡ２の特徴は、腰ベルト４ａ，４ｂの取付位置をキャリア本体１の両端部寄りの位置に離間して設けている点である。両腰ベルト４ａ，４ｂは、補強片４ｃを介してキャリア本体１中央部の両端部付近に縫着してある。また、両腰ベルト４ａ，４ｂの先端部には掛止具５ａ，５ｂが取り付けてあり、前記したものと同様に使用者の腰周りに巻回し、背後にて着脱できるように構成してある（図６）。
上記したよう構成したベビーキャリアＡ２は、腰ベルト４ａ，４ｂの取付位置をキャリア本体１の両端部に離してあるため、装着状態において腰ベルト４ａ，４ｂの位置が使用者のウエスと付近まで上がることになる（図５）。よって、乳幼児をキャリア本体１内に座らせて上半身を起こした状態で抱っこしても、キャリア本体１の一側から垂れ下がる足が腰ベルト４ａ，４ｂに掛かることがなく、使い勝手が非常によい。
【００１６】
尚、上記した腰ベルト４ａ，４ｂの取付位置は子供の足に掛からない範囲で適宜に変更することもできる。また、腰ベルトの幅や形態を変更してもよい。例えば腰ベルトを幾分長めの帯紐状として使用者の背後にて適宜に締め付けて縛り付けるように構成してもよい。
また、キャリア本体１や肩帯の形態も本考案の機能に支障の出ない範囲で変更してもよく、素材や補強手段も任意に変更することも考慮される。特に肩帯は乳幼児の体重が加わるので出来るだけ広い方が使用者の負担が軽減される。よって、肩帯の中央部は、図示するように、肩を中心に上は首付近から下は腕の付け根付近までを覆うように幅広く形成することが好ましい。
さらに、上記実施例におけるキャリア本体１の両側縁部１ａ，１ｂに沿設するクッション材は本体側縁部内に内装する以外に、縁部の外に沿ってクッション材をカバーする形で沿設することもできる。また、同様なクッション材は使用者の体に当接する肩帯の一部若しくは全面的に設けてもよい。
【図面の簡単な説明】
【００１７】
【図１】本考案に係るベビーキャリアを示す斜視図。
【図２】本考案のベビーキャリアを装着し、乳幼児を抱っこした状態を示す斜視図。
【図３】本考案のベビーキャリアを装着した状態を背面側から見た斜視図。
【図４】本考案の第２実施例のベビーキャリアを示す斜視図。
【図５】同ベビーキャリアを装着し、乳幼児を抱っこした状態を背面側から見た斜視図。
【図６】同ベビーキャリアを装着した状態を背面側から見た斜視図。
【符号の説明】
【００１８】
Ａ，Ａ２・・・ベビーキャリア
１・・・キャリア本体
１ａ・・・キャリア本体の一側縁
１ｂ・・・キャリア本体の他側縁
２・・・肩帯
３・・・掛止体
４ａ，４ｂ・・・腰ベルト
５ａ，５ｂ・・・掛止具
【図１】
0003117154.tif 000003
【図２】
0003117154.tif 000004
【図３】
0003117154.tif 000005
【図４】
0003117154.tif 000006
【図５】
0003117154.tif 000007
【図６】
0003117154.tif 000008